(57)【特許請求の範囲】
【請求項１】
基地局装置と通信する端末装置であって、
前記端末装置が８アンテナポートの伝送路状況測定用参照信号を用いるＰＤＳＣＨ送信モードをサポートしているかを、端末ケイパビリティ情報を用いて前記基地局装置に通知する、端末装置。
【請求項２】
基地局装置と通信する端末装置であって、
前記端末装置が８アンテナポートの伝送路状況測定用参照信号を用いるＰＤＳＣＨ送信モードの機能をサポートしていることを示す「１」が設定された情報を、前記基地局装置に通知する、端末装置。
【請求項３】
基地局装置と通信する端末装置であって、
前記端末装置が８アンテナポートの伝送路状況測定用参照信号を用いるＰＤＳＣＨ送信モードの機能をサポートしていないことを示す「０」が設定された情報を、前記基地局装置に通知する、端末装置。
【請求項４】
前記ＰＤＳＣＨ送信モードは、情報データ信号が最大８レイヤー送信の送信方式である、請求項１に記載の端末装置。
【請求項５】
所定の情報が含まれる前記端末ケイパビリティ情報は前記ＰＤＳＣＨ送信モードをサポートしていることを示す、請求項１に記載の端末装置。
【請求項６】
基地局装置と通信する端末装置の送信方法であって、
前記端末装置が８アンテナポートの伝送路状況測定用参照信号を用いるＰＤＳＣＨ送信モードをサポートしているかを、端末ケイパビリティ情報を用いて前記基地局装置に通知する手段を有する、送信方法。
【請求項７】
基地局装置と通信する端末装置の送信方法であって、
前記端末装置が８アンテナポートの伝送路状況測定用参照信号を用いるＰＤＳＣＨ送信モードの機能をサポートしていることを示す「１」が設定された情報を、前記基地局装置に通知する手段を有する、送信方法。
【請求項８】
基地局装置と通信する端末装置の送信方法であって、
前記端末装置が８アンテナポートの伝送路状況測定用参照信号を用いるＰＤＳＣＨ送信モードの機能をサポートしていないことを示す「０」が設定された情報を、前記基地局装置に通知する手段を有する、送信方法。
【請求項９】
端末装置と通信する基地局装置であって、
前記端末装置が８アンテナポートの伝送路状況測定用参照信号を用いるＰＤＳＣＨ送信モードをサポートしているかを、端末ケイパビリティ情報を用いて前記端末装置から受信する、基地局装置。
【請求項１０】
端末装置と通信する基地局装置であって、
前記端末装置が８アンテナポートの伝送路状況測定用参照信号を用いるＰＤＳＣＨ送信モードの機能をサポートしていることを示す「１」が設定された情報、または、前記端末装置が８アンテナポートの伝送路状況測定用参照信号を用いるＰＤＳＣＨ送信モードの機能をサポートしていないことを示す「０」が設定された情報を、前記端末装置から受信する、基地局装置。
【請求項１１】
端末装置と通信する基地局装置の受信方法であって、
前記端末装置が８アンテナポートの伝送路状況測定用参照信号を用いるＰＤＳＣＨ送信モードをサポートしているかを、端末ケイパビリティ情報を用いて前記端末装置から受信する手段を有する、受信方法。
【請求項１２】
端末装置と通信する基地局装置の受信方法であって、
前記端末装置が８アンテナポートの伝送路状況測定用参照信号を用いるＰＤＳＣＨ送信モードの機能をサポートしていることを示す「１」が設定された情報、または、前記端末装置が８アンテナポートの伝送路状況測定用参照信号を用いるＰＤＳＣＨ送信モードの機能をサポートしていないことを示す「０」が設定された情報を、前記端末装置から受信する手段を有する、受信方法。
【発明の詳細な説明】
【技術分野】
【０００１】
本発明は、端末装置、基地局装置、通信方法および集積回路に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局および移動端末に、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術により、高速なデータ伝送を実現することができる。
【０００３】
そのような無線通信システムでは、基地局および移動端末間で共に既知の信号で構成される伝送路状況測定用参照信号を用いることによって、基地局と移動端末との間の伝送路状況を推定し、その推定結果に基づいて、変調方式および符号化率（ＭＣＳ（Ｍｏｄｕｌａｔｉｏｎ  ａｎｄ  Ｃｏｄｉｎｇ  Ｓｃｈｅｍｅ））、空間多重数（レイヤー数、ランク数）、プレコーディング重み（プレコーディング行列、プレコーダ）などを適応的に制御することで、より効率的なデータ伝送を実現することができる。例えば、非特許文献１で記載された方法を用いることができる。
【０００４】
図１１は、基地局１１００から移動端末１１１０へのデータ伝送を行なう下り回線（ダウンリンク、下りリンク）を考えた場合の適応制御を行なう一例を示すブロック図である。
【０００５】
基地局１１００では、まず、多重部１１０２において、基地局固有の伝送路状況測定用参照信号（ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、パイロット信号、既知信号）を、移動端末１１１０のためのデータ信号または他の移動端末宛のデータ信号に多重して、送信アンテナ１１０３から送信する。移動端末１１１０では、分離部１１１２において、受信アンテナ１１１１で受信した信号から伝送路状況測定用参照信号を分離する。フィードバック情報生成部１１１３において、その伝送路状況測定用参照信号に基づいて、フィードバック情報を生成し、送信アンテナ１１１４から上り回線（アップリンク、上りリンク）を通じて送信する。基地局１１００では、フィードバック情報処理部１１０５において、受信アンテナ１１０４が受信した信号から移動端末１１１０が送信したフィードバック情報を識別し、処理する。適応制御部１１０１では、受信したフィードバック情報に基づいて、移動端末１１１０に対するデータ信号に適応制御を行なう。
【０００６】
一方、無線通信システムにおいて、基地局がカバーするエリア内には、様々なケイパビリティ（性能、能力）を有する移動端末が存在することになる。そのため、基地局が、移動端末のケイパビリティ（移動端末ケイパビリティ）を知ることによって、そのような移動端末を収容することができる。そのような制御方法は、例えば、非特許文献２で記載された方法を用いることができる。
【０００７】
図１２は、移動端末から基地局に移動端末ケイパビリティを通知する制御の一例を示す図である。基地局１２０１は、移動端末１２０２に対して、ＲＲＣ（Ｒａｄｉｏ  Ｒｅｓｏｕｒｃｅ  Ｃｏｎｔｒｏｌ  Ｓｉｇｎａｌｉｎｇ）シグナリング等を通じて、移動端末ケイパビリティ問い合わせ（ＵＥＣａｐａｂｉｌｉｔｙＥｎｑｕｉｒｙ）１２０３を通知する。移動端末１２０２は、基地局１２０１に対して、ＲＲＣシグナリングを通じて、移動端末ケイパビリティ情報（ＵＥＣａｐａｂｉｌｉｔｙＩｎｆｏｒｍａｔｉｏｎ）１２０４を通知する。移動端末ケイパビリティ情報は、例えば、非特許文献３で記載された情報を用いることができる。
【先行技術文献】
【非特許文献】
【０００８】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  ８）、２００８年１２月、３ＧＰＰ  ＴＳ  ３６．２１３  Ｖ８．８．０  （２００９−９）
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ  （Ｒｅｌｅａｓｅ  ８），２００９年１２月、３ＧＰＰ  ＴＳ  ３６．３３１  Ｖ８．８．０  （２００９−１２）
【非特許文献３】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｕｓｅｒ  Ｅｑｕｉｐｍｅｎｔ  （ＵＥ）  ｒａｄｉｏ  ａｃｃｅｓｓ  ｃａｐａｂｉｌｉｔｉｅｓ  （Ｒｅｌｅａｓｅ  ８），２００９年９月、３ＧＰＰ  ＴＳ  ３６．３０６  Ｖ８．５．０  （２００９−０９）
【発明の概要】
【発明が解決しようとする課題】
【０００９】
しかしながら、従来の通信方式では、複数種類のコードブックによるプレコーディング行列が規定される場合、移動端末がサポートするコードブックが、基地局と移動端末との間で共有することができず、適切なプレコーダの指定および適用が困難であり、伝送効率の向上を妨げる要因となっていた。
【００１０】
本発明は、上記問題を鑑みてなされたものであり、その目的は、複数種類のコードブックによるプレコーディング行列が規定される基地局と移動端末との間で通信を行う通信システムにおいて、移動端末がサポートするコードブックを基地局と移動端末との間で共有することができる端末装置、基地局装置、通信システムおよび通信方法を提供することにある。
【課題を解決するための手段】
【００１１】
（１）本発明の一態様による端末装置は、基地局装置と通信する端末装置であって、前記端末装置が前記基地局装置にフィードバックするプレコーディング行列を示すＰＭＩを規定するコードブックが、伝送路状況測定用参照信号のアンテナポート数に応じて予め複数規定されており、アンテナポート数に応じて設定される複数の伝送路状況測定用参照信号のうちで、特定のアンテナポート数のみに対して規定されたコードブックに対応する伝送路状況測定用参照信号をサポートしているかを、前記端末装置のケイパビリティを示す移動端末ケイパビリティ情報を用いて、前記基地局装置に通知する。
【００１２】
（２）また、本発明の一態様による端末装置は上記端末装置であって、前記特定のアンテナポート数は８である。
【００１３】
（３）また、本発明の一態様による端末装置は上記端末装置であって、前記特定のアンテナポート数のみに対して規定されたコードブックは、前記基地局から設定される送信モードのうち、特定の送信モードが設定された場合のみ用いられる。
【００１４】
（４）また、本発明の一態様による端末装置は上記端末装置であって、前記特定の送信モードは、情報データ信号が最大８レイヤー送信の送信方式である。
【００１５】
（５）また、本発明の一態様による端末装置は上記端末装置であって、前記特定のアンテナポート数に対して規定される伝送路状況測定用参照信号は、前記基地局装置および前記端末装置との間で互いに既知の信号を用いて、アンテナポート間で符号分割多重および周波数分割多重される。
【００１６】
（６）また、本発明の一態様による基地局装置は、端末装置と通信する基地局装置であって、前記端末装置が前記基地局装置にフィードバックするプレコーディング行列を示すＰＭＩを規定するコードブックが、伝送路状況測定用参照信号のアンテナポート数に応じて予め複数規定されており、前記端末装置に対して、前記端末装置のケイパビリティを示す移動端末ケイパビリティ情報を前記基地局装置に通知するように指示し、前記端末装置が前記指示に基づいて通知する移動端末ケイパビリティ情報を受信し、前記移動端末ケイパビリティ情報は、アンテナポート数に応じて設定される複数の伝送路状況測定用参照信号のうちで、特定のアンテナポート数のみに対して規定されたコードブックに対応する伝送路状況測定用参照信号をサポートしているかを含む。
【００１７】
（７）また、本発明の一態様による通信システムは、基地局装置と端末装置が通信する通信システムであって、前記端末装置が前記基地局装置にフィードバックするプレコーディング行列を示すＰＭＩを規定するコードブックが、伝送路状況測定用参照信号のアンテナポート数に応じて予め複数規定されており、前記基地局装置は、前記端末装置に対して、前記端末装置のケイパビリティを示す移動端末ケイパビリティ情報を前記基地局装置に通知するように指示し、前記端末装置は、前記指示に基づき、アンテナポート数に応じて設定される複数の伝送路状況測定用参照信号のうちで、特定のアンテナポート数のみに対して規定されたコードブックに対応する伝送路状況測定用参照信号をサポートしているかを、前記移動端末ケイパビリティ情報を用いて、前記基地局装置に通知する。
【００１８】
（８）また、本発明の一態様による通信方法は、基地局装置と通信する端末装置の通信方法であって、前記端末装置が前記基地局装置にフィードバックするプレコーディング行列を示すＰＭＩを規定するコードブックが、伝送路状況測定用参照信号のアンテナポート数に応じて予め複数規定されており、アンテナポート数に応じて設定される複数の伝送路状況測定用参照信号のうちで、特定のアンテナポート数のみに対して規定されたコードブックに対応する伝送路状況測定用参照信号をサポートしているかを、前記端末装置のケイパビリティを示す移動端末ケイパビリティ情報を用いて、前記基地局装置に通知する。
【００１９】
（９）また、本発明の一態様による通信方法は、端末装置と通信する基地局装置の通信方法であって、前記端末装置が前記基地局装置にフィードバックするプレコーディング行列を示すＰＭＩを規定するコードブックが、伝送路状況測定用参照信号のアンテナポート数に応じて予め複数規定されており、前記端末装置に対して、前記端末装置のケイパビリティを示す移動端末ケイパビリティ情報を前記基地局装置に通知するように指示し、前記端末装置が前記指示に基づいて通知する移動端末ケイパビリティ情報を受信し、前記移動端末ケイパビリティ情報は、アンテナポート数に応じて設定される複数の伝送路状況測定用参照信号のうちで、特定のアンテナポート数のみに対して規定されたコードブックに対応する伝送路状況測定用参照信号をサポートしているかを含む。
【発明の効果】
【００２０】
この発明によれば、移動端末がサポートするコードブックを基地局と移動端末との間で共有することができる。
【図面の簡単な説明】
【００２１】
【図１】本発明の第１の実施形態で用いる移動端末ケイパビリティ情報の一例である。
【図２】本発明の第１の実施形態で用いる移動端末カテゴリーの一例である。
【図３】８アンテナポート用の伝送路状況測定用参照信号がマッピングされたリソースブロックペアを示す図である。
【図４】４アンテナポート用の伝送路状況測定用参照信号がマッピングされたリソースブロックペアを示す図である。
【図５】伝送路状況測定用参照信号のポート数に応じて規定するコードブックの一例を示す図である。
【図６】本発明の第１の実施形態で用いる送信モードの一例を示す図である。
【図７】伝送路状況測定用参照信号のポート数および送信モードに応じて規定するコードブックの一例を示す図である。
【図８】本発明の第２の実施形態で用いる移動端末ケイパビリティ情報の一例である。
【図９】下りリンクにおける最大空間多重数に応じて規定するコードブックの一例を示す図である。
【図１０】移動端末カテゴリーに応じて規定するコードブックの一例を示す図である。
【図１１】基地局１１００から移動端末１１１０へのデータ伝送を行なう下り回線（ダウンリンク、下りリンク）を考えた場合の適応制御を行なう一例を示すブロック図である。
【図１２】移動端末から基地局に移動端末ケイパビリティを通知する制御の一例を示す図である。
【発明を実施するための形態】
【００２２】
（第１の実施形態）
以下、本発明の第１の実施形態について説明する。本第１の実施形態における通信システムは、基地局（基地局装置、送信装置、セル、送信点、送信アンテナ群、送信アンテナポート群、コンポーネントキャリア、ｅＮｏｄｅＢ、第１の通信装置）および移動端末（端末装置、受信点、受信端末、受信装置、第２の通信装置、受信アンテナ群、受信アンテナポート群、ＵＥ（Ｕｓｅｒ  Ｅｑｕｉｐｍｅｎｔ））を備える。
【００２３】
本第１の実施形態における通信システムにおいて、まず、基地局は、移動端末に対して、移動端末ケイパビリティ問い合わせ（端末装置ケイパビリティ問い合わせ、ＵＥケイパビリティ問い合わせ、ＵＥ  Ｃａｐａｂｉｌｉｔｙ  Ｅｎｑｕｉｒｙ）を通知し、移動端末ケイパビリティ情報（端末装置ケイパビリティ情報、ＵＥケイパビリティ情報、ＵＥ  Ｃａｐａｂｉｌｉｔｙ  Ｉｎｆｏｒｍａｔｉｏｎ）を送信するように指示する。移動端末は、基地局からの移動端末ケイパビリティ問い合わせに基づいて、基地局に対して、移動端末ケイパビリティ情報を送信する。
【００２４】
図１は、本発明の第１の実施形態で用いる移動端末ケイパビリティ情報の一例である。移動端末ケイパビリティ情報は、移動端末カテゴリー、下りリンク（ＤＬ；Ｄｏｗｎｌｉｎｋ）におけるキャリアアグリゲーション情報、下りリンクにおける最大空間多重数、下りリンクにおける８アンテナポート伝送路状況測定用参照信号のサポート、上りリンク（ＵＬ；Ｕｐｌｉｎｋ）におけるキャリアアグリゲーション情報、上りリンクにおける最大空間多重数を含んで構成される。
【００２５】
図２は、本発明の第１の実施形態で用いる移動端末カテゴリーの一例である。移動端末カテゴリーは、下りリンクおよび上りリンクにおけるそれぞれの最大データレート、下りリンクにおける最大空間多重数を含んで構成される。図２で示す移動端末カテゴリーは、それらのパラメータによって、８つの移動端末カテゴリーで構成される。なお、移動端末カテゴリー６〜８の時、下りリンクにおける最大空間多重数は、移動端末カテゴリーでは通知せず、図１で示す移動端末ケイパビリティで通知する。
【００２６】
図１に示す下りリンクおよび上りリンクにおけるキャリアアグリゲーション情報は、それぞれ下りリンクおよび上りリンクにおいて、アグリゲーション（統合、集約）するコンポーネントキャリアの数とコンポーネントキャリア毎の周波数帯域幅（システム帯域幅）との組み合わせで構成され、その移動端末が送受信可能な組み合わせ（パラメータ）が示される。具体的な情報として、例えば、それぞれの組み合わせに対応したビットマップ形式の情報や、その移動端末が送受信可能な最大のパラメータを１つ選択する方法などが用いられることができる。また、コンポーネントキャリアの数と周波数帯域幅はそれぞれ独立したパラメータとしてもよい。
【００２７】
図１に示す下りリンクおよび上りリンクにおける最大空間多重数は、その移動端末が下りリンクおよび上りリンクにおいて送受信可能な最大空間多重数を示す。なお、移動端末ケイパビリティ情報に示す下りリンクにおける最大空間多重数は、図２に示す移動端末カテゴリー６〜８の時に用いられる。すなわち、図２に示す移動端末カテゴリー１〜５の時は、移動端末ケイパビリティ情報に示す下りリンクにおける最大空間多重数は通知する必要がなくなる。なお、図２に示す移動端末カテゴリー１〜５の時でも、移動端末は、移動端末ケイパビリティ情報に示す下りリンクにおける最大空間多重数を通知してもよい。その場合は、基地局は、移動端末ケイパビリティ情報に示す下りリンクにおける最大空間多重数または移動端末カテゴリーで示す下りリンクにおける最大空間多重数のいずれかを優先して採用することができる。
【００２８】
図１に示す下りリンクにおける８アンテナポート伝送路状況測定用参照信号のサポート（アンテナポート１５〜２２のサポート）は、その移動端末が８アンテナポート用の伝送路状況測定用参照信号をサポートしているかどうかを示す情報である。なお、アンテナポートは、リソースグリッドとも称される。例えば、その移動端末が８アンテナポート用の伝送路状況測定用参照信号をサポートする場合、８アンテナポート伝送路状況測定用参照信号のサポートは、「１」を示す。また、その移動端末が８アンテナポート用の伝送路状況測定用参照信号をサポートしない場合、８アンテナポート伝送路状況測定用参照信号のサポートは、「０」を示す。
【００２９】
以下では、移動端末が基地局に対して、８アンテナポート伝送路状況測定用参照信号のサポートを通知することによる効果を説明する。
【００３０】
図３は、８アンテナポート用の伝送路状況測定用参照信号がマッピングされたリソースブロックペアを示す図である。図３は基地局のアンテナポート数（ＣＳＩポート数）が８のときの伝送路状況測定用参照信号がマッピングされる場合を示している。また、図３は１つのサブフレーム内の２つのリソースブロックを表しており、１つのリソースブロックペアが構成されている。１つのリソースブロックは周波数方向に１２のサブキャリアと時間方向に７のＯＦＤＭシンボルで構成される。１つのＯＦＤＭシンボルのうち、それぞれのサブキャリアは、リソースエレメントとも称される。それぞれのサブフレームのうち、時間方向に前後の７つのＯＦＤＭシンボルはそれぞれスロットとも称される。
【００３１】
ここで、リソースブロックは、通信システムが用いる周波数帯域幅（システム帯域幅）に応じて、その数を変えることができる。例えば、６〜１１０個のリソースブロックが用いられることができ、さらに、キャリアアグリゲーション（周波数アグリゲーション）により、全システム帯域幅を１１０個以上にすることも可能である。通常コンポーネントキャリアは１００リソースブロックで構成し、コンポーネントキャリア間にガードバンドをはさんで、５個のコンポーネントキャリアで、全システム帯域幅を５００リソースブロックにすることができる。これを、帯域幅で表現すると、例えば、コンポーネントキャリアは２０ＭＨｚで構成し、コンポーネントキャリア間にガードバンドをはさんで、５個のコンポーネントキャリアで、全システム帯域幅を１００ＭＨｚにすることができる。
【００３２】
図３の色付けしたリソースエレメントのうち、ＣＤＭグループ番号１〜２のデータ信号復調用参照信号をそれぞれＤ１〜Ｄ２、ＣＤＭグループ番号１〜４の伝送路状況測定用参照信号をそれぞれＣ１〜Ｃ４と表している。さらに、それらの参照信号をマッピングしたリソースエレメント以外のリソースエレメントに、情報データ信号または制御情報信号がマッピングされる。
【００３３】
伝送路状況測定用参照信号は、それぞれのＣＤＭグループにおいて、２チップの直交符号（Ｗａｌｓｈ符号）が用いられ、それぞれの直交符号にＣＳＩポート（伝送路状況測定用参照信号のポート（アンテナポート、リソースグリッド））が割り当てられ、２ＣＳＩポート毎に符号分割多重（ＣＤＭ；Ｃｏｄｅ  Ｄｉｖｉｓｉｏｎ  Ｍｕｌｔｉｐｌｅｘｉｎｇ）される。さらに、それぞれのＣＤＭグループが周波数分割多重される。４つのＣＤＭグループを用いて、ＣＳＩポート１〜８（アンテナポート１５〜２２）の８アンテナポートの伝送路状況測定用参照信号がマッピングされる。例えば、伝送路状況測定用参照信号のＣＤＭグループＣ１は、ＣＳＩポート１および２（アンテナポート１５および１６）の伝送路状況測定用参照信号をＣＤＭし、マッピングされる。伝送路状況測定用参照信号のＣＤＭグループＣ２は、ＣＳＩポート３および４（アンテナポート１７および１８）の伝送路状況測定用参照信号をＣＤＭし、マッピングされる。伝送路状況測定用参照信号のＣＤＭグループＣ３は、ＣＳＩポート５および６（アンテナポート１９および２０）の伝送路状況測定用参照信号をＣＤＭし、マッピングされる。伝送路状況測定用参照信号のＣＤＭグループＣ４は、ＣＳＩポート７および８（アンテナポート２１および２２）の伝送路状況測定用参照信号をＣＤＭし、マッピングされる。
【００３４】
基地局のアンテナポート数が８の場合、情報データ信号または制御情報信号のレイヤー数（ランク数、空間多重数、ＤＭＲＳポート数）は最大８とすることができ、例えば、情報データ信号のレイヤー数を２、制御情報信号のレイヤー数を１とすることができる。データ信号復調用参照信号は、それぞれのＣＤＭグループにおいて、レイヤー数に応じて、２チップまたは４チップの直交符号が用いられ、２レイヤーまたは４レイヤー毎にＣＤＭされる。さらに、それぞれのＣＤＭグループが周波数分割多重される。２つのＣＤＭグループを用いて、ＤＭＲＳポート１〜８（アンテナポート７〜１４）の８レイヤーのデータ信号復調用参照信号がマッピングされる。
【００３５】
図４は、４アンテナポート用の伝送路状況測定用参照信号がマッピングされたリソースブロックペアを示す図である。図４は基地局のアンテナポート数が４のときの伝送路状況測定用参照信号がマッピングされる場合を示している。
【００３６】
図４の色付けしたリソースエレメントのうち、ＣＤＭグループ番号１〜２のデータ信号復調用参照信号をそれぞれＤ１〜Ｄ２、ＣＤＭグループ番号１〜２の伝送路状況測定用参照信号をそれぞれＣ１〜Ｃ２と表している。さらに、それらの参照信号をマッピングしたリソースエレメント以外のリソースエレメントに、情報データ信号または制御情報信号がマッピングされる。
【００３７】
伝送路状況測定用参照信号は、それぞれのＣＤＭグループにおいて、２チップの直交符号（Ｗａｌｓｈ符号）が用いられ、それぞれの直交符号にＣＳＩポートが割り当てられ、２ＣＳＩポート毎にＣＤＭされる。さらに、それぞれのＣＤＭグループが周波数分割多重される。２つのＣＤＭグループを用いて、ＣＳＩポート１〜４（アンテナポート１５〜１８）の４アンテナポートの伝送路状況測定用参照信号がマッピングされる。例えば、伝送路状況測定用参照信号のＣＤＭグループＣ１は、ＣＳＩポート１および２（アンテナポート１５および１６）の伝送路状況測定用参照信号をＣＤＭし、マッピングされる。伝送路状況測定用参照信号のＣＤＭグループＣ２は、ＣＳＩポート３および４（アンテナポート１７および１８）の伝送路状況測定用参照信号をＣＤＭし、マッピングされる。
【００３８】
基地局のアンテナポート数が４の場合、情報データ信号または制御情報信号のレイヤー数は最大４とすることができる。データ信号復調用参照信号は、それぞれのＣＤＭグループにおいて、レイヤー数に応じて、２チップの直交符号が用いられ、２レイヤー毎にＣＤＭされる。さらに、それぞれのＣＤＭグループが周波数分割多重される。２つのＣＤＭグループを用いて、ＤＭＲＳポート１〜４（アンテナポート７〜１０）の４レイヤーのデータ信号復調用参照信号がマッピングされる。
【００３９】
また、基地局は、アンテナポート数が１または２のときの伝送路状況測定用参照信号を送信することができる。１アンテナポート用または２アンテナポート用の伝送路状況測定用参照信号は、図３または図４で示す伝送路状況測定用参照信号のＣＤＭグループＣ１を用いて、送信することができる。
【００４０】
移動端末は、基地局が送信する伝送路状況測定用参照信号を用いて、基地局と移動端末間の伝送路状況を測定し、基地局の移動端末に対する適応制御を実現するためのフィードバック情報を生成し、基地局にフィードバック（通知）する。
【００４１】
特に、移動端末は、フィードバック情報として、基地局が移動端末宛の情報データ信号に対してプレコーディング処理を行うためのプレコーディング行列を生成できる。プレコーディング処理は、基地局が移動端末に対して、情報データ信号を最適に送信するために行われる。例えば、プレコーディング処理は、移動端末が空間多重された情報データ信号を分離しやすくするためや、移動端末が受信する情報データ信号の受信電力（ＳＮＲ；Ｓｉｇｎａｌ  ｔｏ  Ｎｏｉｓｅ  ｐｏｗｅｒ  Ｒａｔｉｏ、ＳＩＮＲ；Ｓｉｇｎａｌ  ａｎｄ  Ｉｎｔｅｒｆｅｒｅｎｃｅ  ｔｏ  Ｎｏｉｓｅ  ｐｏｗｅｒ  Ｒａｔｉｏ）を最適（最大）にするため等の目的として行われることができる。
【００４２】
また、移動端末がフィードバックするフィードバック情報のオーバーヘッドを削減するために、プレコーディング行列は予めコードブックとして規定され、基地局と移動端末間で共有されることができる。これにより、移動端末は、規定されたコードブックから最適なプレコーディング行列を選択し、そのインデックスをＰＭＩ（Ｐｒｅｃｏｄｉｎｇ  Ｍａｔｒｉｘ  Ｉｎｄｉｃａｔｏｒ）としてフィードバックすることができる。
【００４３】
さらに、そのコードブックは、複数規定されることができる。例えば、コードブックは、伝送路状況測定用参照信号のポート数に応じて、規定されることができる。図５は、伝送路状況測定用参照信号のポート数に応じて規定するコードブックの一例を示す図である。伝送路状況測定用参照信号のポート数が１、２または４の時は、コードブック１（第１のコードブック）が用いられる。伝送路状況測定用参照信号のポート数が８の時は、コードブック２（第２のコードブック）が用いられる。
【００４４】
このとき、それぞれのコードブックは、様々な目的や理由で規定することができる。例えば、コードブック１は、伝送路状況測定用参照信号のポート数が１、２または４で運用される無線通信システム（例えば、ＬＴＥ）への後方互換性を保つために、その無線通信システムで規定されているコードブックを再利用することができる。コードブック２は、伝送路状況測定用参照信号のポート数が１、２または４で運用される無線通信システムへの後方互換性を考慮する必要のない無線通信システムで規定されるコードブックを用いることができる。また、例えば、コードブック１は、ＳＵ−ＭＩＭＯ（Ｓｉｎｇｌｅ  Ｕｓｅｒ−ＭＩＭＯ）に最適なコードブックで規定することができる。コードブック２は、さらにＭＵ−ＭＩＭＯ（Ｍｕｌｔｉ  Ｕｓｅｒ−ＭＩＭＯ）あるいは高ランクのＳＵ−ＭＩＭＯに最適なコードブックで規定することができる。
【００４５】
ここで、無線通信システムにおいて複数種類のコードブックが規定されている場合、具体的には、図５で示すように、伝送路状況測定用参照信号のポート数に応じてコードブックを規定する場合、移動端末は、規定された全てのコードブックを保持しておく必要がある。すなわち、移動端末は、その移動端末が受信可能な伝送路状況測定用参照信号の最大ポート数に関わらず、規定された全てのコードブックを保持しておく必要がある。
【００４６】
そのため、移動端末は、移動端末ケイパビリティ情報として、８アンテナポート伝送路状況測定用参照信号のサポートを基地局に通知することにより、そのような課題を解決することができる。すなわち、８アンテナポート伝送路状況測定用参照信号をサポートしない移動端末は、８アンテナポート伝送路状況測定用参照信号のサポートを「０」として通知することにより、図５で示したコードブック２を保持する必要がなくなり、コードブック１のみを保持することができる。そのため、その移動端末の記憶容量が削減でき、その移動端末の処理が軽減できる。さらに、基地局は、その移動端末を含む移動端末のスケジューリング処理およびハンドオーバ処理を軽減させることができる。
【００４７】
また、８アンテナポート伝送路状況測定用参照信号をサポートする移動端末は、８アンテナポート伝送路状況測定用参照信号のサポートを「１」として通知する。このとき、その移動端末は、コードブック１およびコードブック２を保持することが好ましいが、コードブック２のみを保持してもよい。
【００４８】
基地局は、移動端末から８アンテナポート伝送路状況測定用参照信号のサポートが「０」として通知された場合、その移動端末に対しては最大８レイヤー送信の送信方式以外の送信方式（送信モード）を設定することができる。例えば、基地局は、その移動端末に対して、伝送路状況測定用参照信号のポート数が１、２または４で運用される無線通信システムで用いられる送信方式（送信モード）を設定することができる。
【００４９】
また、基地局は、移動端末から８アンテナポート伝送路状況測定用参照信号のサポートが「１」として通知された場合、その移動端末に対しては最大８レイヤー送信の送信方式も含めた送信方式（送信モード）を設定することができる。
【００５０】
図６は、本発明の第１の実施形態で用いる送信モードの一例を示す図である。図６に示す送信モードのうち、ＰＭＩをフィードバックする送信モード４、５、６および８は、コードブック１のみが用いられ、送信モード９は、コードブック１またはコードブック２が用いられる。また、それぞれの送信モードに対応した制御情報信号のフォーマット（ＤＣＩ（Ｄｏｗｎｌｉｎｋ  Ｃｏｎｔｒｏｌ  Ｉｎｆｏｒｍａｔｉｏｎ）フォーマット）が規定されている。なお、送信モード９は、コードブック２のみが用いられるように規定してもよい。
【００５１】
このとき、基地局は、移動端末から８アンテナポート伝送路状況測定用参照信号のサポートが「０」として通知された場合、その移動端末に対しては送信モード１〜８のいずれかを設定することができる。
【００５２】
なお、８アンテナポート伝送路状況測定用参照信号のサポートは、移動端末カテゴリーに応じて、通知される場合と通知されない場合を切り替えることもでき、例えば、移動端末カテゴリーが１〜７の場合のみ通知されるようにしてもよい。
【００５３】
また、基地局は、移動端末から８アンテナポート伝送路状況測定用参照信号のサポートが「１」として通知された場合、その移動端末に対しては送信モード１〜９のいずれかを設定することができる。
【００５４】
さらに、伝送路状況測定用参照信号のポート数に加えて、送信モードにも応じてコードブックを規定することができる。図７は、伝送路状況測定用参照信号のポート数および送信モードに応じて規定するコードブックの一例を示す図である。図６に示す送信モードのうち、ＰＭＩをフィードバックする送信モード４、５、６および８の場合、コードブック１を用いる。送信モード９において、伝送路状況測定用参照信号のポート数が１、２および４の場合、コードブック１を用い、伝送路状況測定用参照信号のポート数が８の場合、コードブック２を用いる。また、移動端末ケイパビリティ情報は、８アンテナポート伝送路状況測定用参照信号のサポートに加えて、送信モード９のサポートとして、送信モード９をサポートしているかどうかを示す情報を含めてもよい。さらに、それぞれの制御情報はジョイントコーディングして、そのインデックスを制御情報としてもよい。また、移動端末ケイパビリティ情報は、８アンテナポート伝送路状況測定用参照信号のサポートに代えて、８アンテナポート伝送路状況測定用参照信号および送信モード９のサポートとして、８アンテナポート伝送路状況測定用参照信号が受信可能であり、さらに送信モード９をサポートしているかどうかを示す情報を含めてもよい。さらに、８アンテナポート伝送路状況測定用参照信号および送信モード９のサポートは、基地局の伝送路状況測定用参照信号のポート数に応じて、通知される場合と通知されない場合を切り替えることもでき、例えば、基地局の伝送路状況測定用参照信号のポート数が８の場合のみ通知されるようにしてもよい。
【００５５】
なお、移動端末ケイパビリティ情報は、８アンテナポート伝送路状況測定用参照信号のサポートに代えて、送信モード９のサポートとして、送信モード９をサポートしているかどうかを示す情報を含めてもよい。さらに、送信モード９のサポートは、基地局の伝送路状況測定用参照信号のポート数に応じて、通知される場合と通知されない場合を切り替えることもでき、例えば、基地局の伝送路状況測定用参照信号のポート数が８の場合のみ通知されるようにしてもよい。
【００５６】
なお、移動端末ケイパビリティ情報は、８アンテナポート伝送路状況測定用参照信号のサポートに代えて、ＤＣＩフォーマット１Ｃのサポートとして、ＤＣＩフォーマット１Ｃをサポートしているかどうかを示す情報を含めてもよい。さらに、ＤＣＩフォーマット１Ｃのサポートは、基地局の伝送路状況測定用参照信号のポート数に応じて、通知される場合と通知されない場合を切り替えることもでき、例えば、基地局の伝送路状況測定用参照信号のポート数が８の場合のみ通知されるようにしてもよい。
【００５７】
なお、移動端末ケイパビリティ情報は、８アンテナポート伝送路状況測定用参照信号のサポートに代えて、コードブック２のサポートとして、コードブック２をサポートしているかどうかを示す情報を含めてもよい。さらに、コードブック２のサポートは、基地局の伝送路状況測定用参照信号のポート数に応じて、通知される場合と通知されない場合を切り替えることもでき、例えば、基地局の伝送路状況測定用参照信号のポート数が８の場合のみ通知されるようにしてもよい。
【００５８】
なお、移動端末ケイパビリティ情報は、８アンテナポート伝送路状況測定用参照信号のサポートに代えて、伝送路状況測定用参照信号の最大受信可能ポート数（フィードバック情報生成可能な最大ポート数）を含めてもよい。さらに、伝送路状況測定用参照信号の最大受信可能ポート数は、基地局の伝送路状況測定用参照信号のポート数に応じて、通知される場合と通知されない場合を切り替えることもでき、例えば、基地局の伝送路状況測定用参照信号のポート数が８の場合のみ通知されるようにしてもよい。
【００５９】
なお、以上の説明では、８アンテナポート伝送路状況測定用参照信号のサポートは、移動端末ケイパビリティ情報として通知していたが、これに限定するものではない。例えば、８アンテナポート伝送路状況測定用参照信号のサポートは、移動端末カテゴリーに含めて通知してもよい。また、８アンテナポート伝送路状況測定用参照信号のサポートは、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＲＲＣシグナリングを通じて送信する制御情報信号や情報データ信号等に含めて通知することもできる。
【００６０】
なお、以上の説明では、８アンテナポート伝送路状況測定用参照信号のサポートは、独立した制御情報として通知していたが、その他の制御情報と合成した制御情報を規定し、すなわちジョイントコーディングして、そのインデックスを示す情報を制御情報として、通知することもできる。例えば、８アンテナポート伝送路状況測定用参照信号のサポートは、移動端末カテゴリー、下りリンクにおけるキャリアアグリゲーション情報、下りリンクにおける最大空間多重数、下りリンクにおける８アンテナポート伝送路状況測定用参照信号のサポート、上りリンクにおけるキャリアアグリゲーション情報、上りリンクにおける最大空間多重数、下りリンクおよび上りリンクにおけるそれぞれの最大データレート、送信モード、ＤＣＩフォーマット等とジョイントコーディングして通知することもできる。
【００６１】
以上のように、移動端末が、その移動端末によってサポートされるコードブックを、複数のコードブックで規定されるプレコーダを有する基地局に、移動端末ケイパビリティ情報等を通じて、明示的（エクスプリシット）に通知することにより、その移動端末の記憶容量が削減でき、その移動端末の処理が軽減できる。さらに、基地局は、その移動端末を含む移動端末のスケジューリング処理およびハンドオーバ処理を軽減させることができる。
（第２の実施形態）
以下、本発明の第２の実施形態について説明する。本第２の実施形態における通信システムは、本発明の第１の実施形態における通信システムと同様に、基地局および移動端末を備える。以下では、本発明の第１の実施形態と異なる部分を中心に説明する。
【００６２】
図８は、本発明の第２の実施形態で用いる移動端末ケイパビリティ情報の一例である。移動端末ケイパビリティ情報は、移動端末カテゴリー、下りリンクにおけるキャリアアグリゲーション情報、下りリンクにおける最大空間多重数、上りリンクにおけるキャリアアグリゲーション情報、上りリンクにおける最大空間多重数を含んで構成される。
【００６３】
本第２の実施形態では、図８で示す移動端末ケイパビリティ情報の一部に関連付けることによって、その移動端末がサポートするコードブックは、インプリシット（黙示的、暗示的）に通知される。
【００６４】
例えば、その移動端末がサポートするコードブックは、図８で示す移動端末ケイパビリティ情報の下りリンクにおける最大空間多重数に関連付けて、通知されることができる。
【００６５】
図９は、下りリンクにおける最大空間多重数に応じて規定するコードブックの一例を示す図である。下りリンクにおける最大空間多重数が１、２または４の時は、コードブック１が用いられる。下りリンクにおける最大空間多重数が８の時は、コードブック２が用いられる。
【００６６】
これにより、受信可能な下りリンクにおける最大空間多重数が１、２または４の移動端末、すなわち、移動端末ケイパビリティで通知する下りリンクにおける最大空間多重数が１、２または４の移動端末は、コードブック２を保持する必要がなくなり、その移動端末の記憶容量が削減でき、その移動端末の処理が軽減できる。さらに、基地局は、その移動端末を含む移動端末のスケジューリング処理およびハンドオーバ処理を軽減させることができる。
【００６７】
また、例えば、その移動端末がサポートするコードブックは、図８で示す移動端末ケイパビリティ情報の移動端末カテゴリーに関連付けて、通知されることができる。
【００６８】
図１０は、移動端末カテゴリーに応じて規定するコードブックの一例を示す図である。移動端末カテゴリーが１、２、３、４、５、６、７の時は、コードブック１が用いられる。移動端末カテゴリーが８の時は、コードブック２が用いられる。
【００６９】
これにより、移動端末カテゴリーが１、２、３、４、５、６、７の移動端末、すなわち、移動端末ケイパビリティで通知する移動端末カテゴリーが１、２、３、４、５、６、７の移動端末は、コードブック２を保持する必要がなくなり、その移動端末の記憶容量が削減でき、その移動端末の処理が軽減できる。さらに、基地局は、その移動端末を含む移動端末のスケジューリング処理およびハンドオーバ処理を軽減させることができる。
【００７０】
なお、以上の説明では、下りリンクにおける最大空間多重数または移動端末カテゴリーに関連付けて、その移動端末がサポートするコードブックはインプリシットに通知される場合を説明したが、これに限定するものではない。例えば、その移動端末がサポートするコードブックは、下りリンクにおけるキャリアアグリゲーション情報、下りリンクにおける伝送路状況測定用参照信号のポート数、上りリンクにおけるキャリアアグリゲーション情報、上りリンクにおける最大空間多重数、下りリンクおよび上りリンクにおけるそれぞれの最大データレート、送信モード、ＤＣＩフォーマット等に関連付けて、インプリシットに通知することもできる。
【００７１】
なお、以上の説明では、移動端末ケイパビリティ情報の一部に関連付けることによって、その移動端末がサポートするコードブックは、インプリシットに通知される場合を説明したが、これに限定するものではない。例えば、その移動端末がサポートするコードブックは、移動端末カテゴリー情報の一部に関連付けてもよい。また、その移動端末がサポートするコードブックは、ＰＤＣＣＨやＲＲＣシグナリングを通じて送信する制御情報信号や情報データ信号等に関連付けて通知することもできる。
【００７２】
以上のように、移動端末が、その移動端末によってサポートされるコードブックを、複数のコードブックで規定されるプレコーダを有する基地局に、移動端末ケイパビリティ情報等を通じて、黙示的（インプリシット）に通知することにより、その移動端末の記憶容量が削減でき、その移動端末の処理が軽減できる。さらに、基地局は、その移動端末を含む移動端末のスケジューリング処理およびハンドオーバ処理を軽減させることができる。
（第３の実施形態）
上記第１あるいは第２の実施形態では、１つのセルにおけるコードブック２のサポートの可否の明示的あるいは黙示的な通知に関して説明した。本発明の第３の実施形態では、１つの移動端末が、アンテナポート数が互いに異なるセル（基地局）に収容される場合におけるコードブック２のサポートの可否の通知およびその後の処理について説明する。
【００７３】
８アンテナポート用のコードブックであるコードブック２をサポートする移動端末は、図１に示したように移動端末ケイパビリティ情報を用いて、自身が８アンテナポート用のコードブックであるコードブック２をサポートすることを基地局に明示的に通知する。一方、８アンテナポート用のコードブックであるコードブック２をサポートしない（有しない）移動端末は、図１に示したように移動端末ケイパビリティ情報を用いて、自身が８アンテナポート用のコードブックであるコードブック２をサポートしないことを基地局に明示的に通知する。
【００７４】
あるいは、８アンテナポート用のコードブックであるコードブック２をサポートする移動端末は、図８に示したように移動端末ケイパビリティ情報を用いて、自身が８アンテナポート用のコードブックであるコードブック２をサポートすることを基地局に黙示的に通知する。一方、８アンテナポート用のコードブックであるコードブック２をサポートしない（有しない）移動端末は、図１に示したように移動端末ケイパビリティ情報を用いて、自身が８アンテナポート用のコードブックであるコードブック２をサポートしないことを基地局に黙示的に通知する。
【００７５】
基地局が１、２または４アンテナポートでの送信を行う（１、２または４ポートのセルを張る）基地局である場合、基地局は図７に示したようにコードブック１を用いる送信モードでとしてモード４・５・６・８・９を用いることができる。コードブック２をサポートする移動端末およびサポートしない移動端末はともにコードブック１を用いることができるため、基地局は両方の移動端末に対してモード４・５・６・８・９を設定することができる。ここで、モード１から８は基本的な送信モードであり、モード９は拡張された送信モードである。拡張された送信モードは、基本的な送信モードに比べて機能拡張された送信モードであり、スケジューリングの自由度や制御情報のオーバーヘッドや最大伝送レートなどの点において優れている。
【００７６】
一方、基地局が８アンテナポートでの送信を行う（８ポートのセルを張る）基地局である場合、基地局は図７に示したようにコードブック１を用いる送信モードでとしてモード４・５・６・８、およびコードブック２を用いる送信モードでとしてモード９を用いることができる。基地局は、コードブック２をサポートする移動端末に対してモード４・５・６・８・９を設定することができる。また、コードブック２をサポートしない移動端末に対してモード９を設定しないようにする。
【００７７】
このように、移動端末が、８アンテナポート用のコードブックであるコードブック２のサポートの可否の明示的あるいは黙示的に通知することにより、コードブック２をサポートしない移動端末も１、２または４アンテナポートでの送信を行う基地局においてモード９を用いることができる。そのため、その移動端末の記憶容量が削減でき、その移動端末の処理が軽減できる。また、基地局は、効率的なスケジューリングおよびハンドオーバを行うことができる。
【００７８】
なお、上記各実施形態における基地局装置の全部または一部、あるいは端末装置の全部または一部との機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００７９】
また、「コンピュータシステム」は、ＷＷＷシステムを利用している場合であれば、ホームページ提供環境（あるいは表示環境）も含むものとする。
【００８０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８１】
また、基地局装置の全部または一部と、端末装置の全部または一部との機能を集積回路に集約して実現してもよい。基地局装置、及び端末装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００８２】
以上、この発明の実施形態を図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【００８３】
なお、本発明は、以下のようにも表現できる。
【００８４】
（１）本発明の一態様による端末装置は、複数のコードブックで規定されるプレコーダを有する基地局装置と通信する端末装置であって、前記複数のコードブックの中から前記端末装置がサポートするコードブックを示す情報を、前記基地局装置に対して通知することを特徴とする。これにより、基地局は、通知された情報を用いて効率的なスケジューリングおよびハンドオーバを行うことができる。
【００８５】
（２）また、本発明の一態様による端末装置は上記の端末装置であって、前記端末装置がサポートするコードブックを示す情報を、前記基地局装置に対して明示的に通知することを特徴とする。これにより、少ないコードブックのみをサポートする端末装置の記憶容量が削減でき、その端末装置の処理が軽減できる。
【００８６】
（３）また、本発明の一態様による端末装置は上記の端末装置であって、前記端末装置がサポートするコードブックを示す情報を、前記基地局装置に対して黙示的に通知することを特徴とする。これにより、少ないコードブックのみをサポートする端末装置の記憶容量が削減でき、その端末装置の処理が軽減できる。
【００８７】
（４）また、本発明の一態様による端末装置は上記の端末装置であって、前記端末装置の通信能力を示す端末装置ケイパビリティ情報により、前記端末装置がサポートするコードブックを示す情報を、前記基地局装置に対して通知することを特徴とする。これにより、前記端末装置がサポートするコードブックを効率的に通知することができる。
【００８８】
（５）また、本発明の一態様による基地局装置は、複数のコードブックで規定されるプレコーダを有する基地局装置と端末装置との間で通信する通信システムにおける基地局装置であって、前記端末装置から通知される、前記複数のコードブックの中から前記端末装置がサポートするコードブックを示す情報に基づいて、送信モードを決定することを特徴とする。これにより、基地局は、効率的な送信モードを決定することができる。
【００８９】
（６）また、本発明の一態様による通信システムは、複数のコードブックで規定されるプレコーダを有する基地局装置と端末装置との間で通信する通信システムであって、前記端末装置は、前記複数のコードブックの中から前記端末装置がサポートするコードブックを示す情報を、前記基地局装置に対して通知し、前記基地局装置は、前記情報に基づいて、送信モードを決定することを特徴とする。これにより、基地局は、効率的な送信モードを決定することができる。
【００９０】
（７）また、本発明の一態様による通信方法は、複数のコードブックで規定されるプレコーダを有する基地局装置と通信する端末装置の通信方法であって、前記複数のコードブックの中から前記端末装置がサポートするコードブックを示す情報を、前記基地局装置に対して通知するステップを含むことを特徴とする。これにより、基地局は、通知された情報を用いて効率的なスケジューリングおよびハンドオーバを行うことができる。
【００９１】
（８）また、本発明の一態様による通信方法は、複数のコードブックで規定されるプレコーダを有する基地局装置と端末装置との間で通信する通信システムにおける基地局装置の通信方法であって、前記端末装置から通知される、前記複数のコードブックの中から前記端末装置がサポートするコードブックを示す情報に基づいて、送信モードを決定するステップを含むことを特徴とする。これにより、基地局は、効率的な送信モードを決定することができる。
【００９２】
（９）また、本発明の一態様による通信方法は、複数のコードブックで規定されるプレコーダを有する基地局装置と端末装置との間で通信する通信システムの通信方法であって、前記端末装置は、前記複数のコードブックの中から前記端末装置がサポートするコードブックを示す情報を、前記基地局装置に対して通知するステップを含み、前記基地局装置は、前記情報に基づいて、送信モードを決定するステップを含むことを特徴とする。これにより、基地局は、効率的な送信モードを決定することができる。
【産業上の利用可能性】
【００９３】
本発明は、無線基地局装置や無線端末装置や無線通信システムや無線通信方法に用いて好適である。
【符号の説明】
【００９４】
１１００…基地局
１１０１…適応制御部
１１０２…多重部
１１０３…送信アンテナ
１１０４…受信アンテナ
１１０５…フィードバック情報処理部
１１１０…移動端末
１１１１…受信アンテナ
１１１２…分離部
１１１３…フィードバック情報生成部
１１１４…送信アンテナ
１２０１…基地局
１２０２…移動端末
１２０３…移動端末ケイパビリティ問い合わせ
１２０４…移動端末ケイパビリティ情報
【図１】
0005538603.tif 000002
【図２】
0005538603.tif 000003
【図３】
0005538603.tif 000004
【図４】
0005538603.tif 000005
【図５】
0005538603.tif 000006
【図６】
0005538603.tif 000007
【図７】
0005538603.tif 000008
【図８】
0005538603.tif 000009
【図９】
0005538603.tif 000010
【図１０】
0005538603.tif 000011
【図１１】
0005538603.tif 000012
【図１２】
0005538603.tif 000013